(57)【要約】【課題】内部の温度が高い状態が続くことを回避して、故障を抑制することが可能な溶接用電源装置を提供する。【解決手段】  内部の温度の情報を含む温度情報信号３１を出力する温度測定部２２と、温度情報信号３１に基づいて把握される温度が閾値よりも高い場合に異常温度信号３５を出力する異常温度検出部２１と、異常温度信号３５に基づいて溶接電流を停止する電流制御部１６と、異常温度信号３５に基づいてファン駆動信号を出力するファン駆動部２４と、内部を冷却するファン２５と、ファンの駆動時間を記憶し、主電源１が投入状態であるか切断状態であるかにかかわらず駆動時間の記憶を保持する記憶部２７と、主電源１が投入された場合に記憶部２７に記憶された駆動時間を読み出し、冷却が必要であると判断した場合に、異常温度信号３５を電流制御部１６およびファン駆動部２４に出力する冷却確認部２３とを備える。【選択図】図１
2016093817.tif 000002
【特許請求の範囲】
【請求項１】
内部の温度を測定して、前記温度の情報を含む温度情報信号を出力する温度測定部と、
前記温度測定部に接続され、前記温度情報信号に基づいて把握される温度が予め設定された閾値よりも高い場合に異常温度信号を出力する異常温度検出部と、
前記異常温度検出部に接続され、前記異常温度信号に基づいて溶接電流を停止する電流制御部と、
前記異常温度検出部に接続され、前記異常温度信号に基づいてファン駆動信号を出力するファン駆動部と、
前記ファン駆動部に接続され、前記ファン駆動信号に基づいて駆動され、内部を冷却するファンと、
前記ファンの駆動時間を記憶し、主電源が投入状態であるか切断状態であるかにかかわらず前記駆動時間の記憶を保持する記憶部と、
前記電流制御部および前記ファン駆動部に接続され、前記主電源が投入された場合に前記記憶部に記憶された前記駆動時間を読み出し、前記駆動時間に基づいて前記内部の冷却の要否を判断し、前記内部の冷却が必要であると判断した場合に、前記異常温度信号を前記電流制御部および前記ファン駆動部に出力する冷却確認部と、
を備える、
溶接用電源装置。
【請求項２】
前記冷却確認部に接続され、前記主電源が切断された場合に切断時間を測定し、前記切断時間の情報を含む切断時間計測信号を出力する切断時間計測部をさらに備え、
前記冷却確認部は、前記駆動時間および前記切断時間に基づいて前記内部の冷却の要否を判断する、
請求項１に記載の溶接用電源装置。
【請求項３】
請求項１または請求項２に記載の溶接用電源装置を備える、
溶接装置。
【請求項４】
内部の温度を測定して、前記温度の情報を含む温度情報信号を出力するステップと、
前記温度情報信号に基づいて把握される前記温度が予め設定された閾値よりも高い場合に異常温度信号を出力するステップと、
前記異常温度信号に基づいて溶接電流を停止するステップと、
前記異常温度信号に基づいてファン駆動信号を出力するステップと、
前記ファン駆動信号に基づいてファンを駆動して、前記内部を冷却するステップと、
前記ファンの駆動時間を記憶し、主電源が投入状態であるか切断状態であるかにかかわらず前記駆動時間の記憶を保持するステップと、
主電源が投入された場合に、記憶された前記駆動時間を読み出し、前記駆動時間に基づいて前記内部の冷却の要否を判断し、前記内部の冷却が必要であると判断した場合に、前記溶接電流を停止するとともに前記ファンを駆動して前記内部を冷却するステップと、
を備える、
溶接用電源装置の制御方法。
【請求項５】
前記主電源が切断された場合に切断時間を測定するステップをさらに備え、
前記内部の冷却の要否を判断するステップでは、前記駆動時間および前記切断時間に基づいて前記内部の冷却の要否を判断する、
請求項４に記載の溶接用電源装置の制御方法。
【発明の詳細な説明】
【技術分野】
【０００１】
本発明は、溶接装置、溶接用電源装置、および溶接用電源装置の制御方法に関するものである。
【背景技術】
【０００２】
溶接装置においては、溶接作業中に内部の温度が上昇する。そして内部の温度が溶接装置を構成する部品にダメージを与えるレベルにまで上昇した場合（異常温度にまで上昇した場合）、溶接を停止してファンを作動することにより溶接装置の内部が冷却される。
【０００３】
溶接装置の内部が高温状態になった場合に内部の冷却を図る技術として、制御電源用スイッチをＯＮ状態からＯＦＦ状態にすると同時に冷却ファンを駆動し、溶接装置の主回路を構成する機器が一定温度以下になった後、または溶接終了から一定時間経過後にファンを停止する技術が開示されている（例えば、特許文献１参照）。また、溶接開始信号に基づいて冷却用の小型ファンの駆動を開始し、溶接終了信号が出力されてから溶接用トランスが所定の温度まで冷却されたと推定される時間経過後に、小型ファンを停止する技術が開示されている（例えば、特許文献２参照）。さらに、溶接装置に異常温度検出回路を設置することにより、溶接装置の内部の温度を測定し、予め定めた異常温度設定値より高い場合に異常温度を示す異常温度検出信号を出力し、異常温度検出信号が解除されるまでファンの駆動を継続する技術が開示されている（例えば、特許文献３参照）。
【先行技術文献】
【特許文献】
【０００４】
【特許文献１】特開昭５７−２５２８９号公報
【特許文献２】特開平１１−２５４１３５号公報
【特許文献３】特開２００２−６６７３８号公報
【発明の概要】
【発明が解決しようとする課題】
【０００５】
溶接装置の内部で温度異常が生じた場合に、一旦溶接装置の電源が切断され、再度電源が投入されて溶接が再開される場合がある。この場合は、電源を切断し、再度電源投入後に溶接装置の内部温度を測定し、予め設定された異常温度以下であれば、溶接の再開が可能となる。
【０００６】
しかしながら、上述のような場合、溶接再開前に溶接装置の内部温度が予め設定された異常温度以下であったとしても、異常温度に近い場合、溶接開始後すぐに異常温度に到達してしまう。このような状態が継続すると溶接装置の内部の温度が高い状態が続き、熱に弱い回路等がダメージを受けて溶接装置に故障が発生する原因となる。
【０００７】
本発明の目的は、溶接装置の内部の温度が高い状態が続くことを回避して、溶接装置の故障を抑制することが可能な溶接装置、溶接用電源装置、および溶接用電源装置の制御方法を提供することである。
【課題を解決するための手段】
【０００８】
本発明に従った溶接用電源装置は、内部の温度を測定して、温度の情報を含む温度情報信号を出力する温度測定部と、温度測定部に接続され、温度情報信号に基づいて把握される温度が予め設定された閾値よりも高い場合に異常温度信号を出力する異常温度検出部と、異常温度検出部に接続され、異常温度信号に基づいて溶接電流を停止する電流制御部とを備える。本発明に従った溶接用電源装置は、さらに異常温度検出部に接続され、異常温度信号に基づいてファン駆動信号を出力するファン駆動部と、ファン駆動部に接続され、ファン駆動信号に基づいて駆動され、内部を冷却するファンと、ファンの駆動時間を記憶し、主電源が投入状態であるか切断状態であるかにかかわらず駆動時間の記憶を保持する記憶部と、電流制御部およびファン駆動部に接続され、主電源が投入された場合に記憶部に記憶された駆動時間を読み出し、駆動時間に基づいて内部の冷却の要否を判断し、内部の冷却が必要であると判断した場合に、異常温度信号を電流制御部およびファン駆動部に出力する冷却確認部とを備える。
【０００９】
上記溶接用電源装置においては、記憶部がファンの駆動時間を記憶して、主電源が投入状態であるか切断状態であるかにかかわらず駆動時間の記憶を保持する。そして主電源が切断され、その後主電源が投入されると、記憶された切断前のファン駆動時間が記憶部から読み出され、必要に応じて更なるファンの駆動が実施される。そして、十分な冷却が達成された後、溶接の開始が可能となる。これにより、十分に冷却されたことが確認されて、溶接が再開される。その結果、溶接用電源装置の内部の温度が高い状態が続くことを回避して、溶接用電源装置の故障を抑制することができる。
【００１０】
上記溶接用電源装置は、冷却確認部に接続され、主電源が切断された場合に切断時間を測定し、切断時間の情報を含む切断時間計測信号を出力する切断時間計測部をさらに備え、冷却確認部は、駆動時間および切断時間に基づいて溶接用電源装置の内部の冷却の要否を判断してもよい。
【００１１】
本発明に従った溶接装置は、上記溶接用電源装置を備える。
【００１２】
本発明に従った溶接用電源装置の制御方法は、内部の温度を測定して、温度の情報を含む温度情報信号を出力するステップと、温度情報信号に基づいて把握される温度が予め設定された閾値よりも高い場合に異常温度信号を出力するステップと、異常温度信号に基づいて溶接電流を停止するステップとを備える。本発明に従った溶接用電源装置の制御方法は、さらに異常温度信号に基づいてファン駆動信号を出力するステップと、ファン駆動信号に基づいてファンを駆動して、内部を冷却するステップと、ファンの駆動時間を記憶し、主電源が投入状態であるか切断状態であるかにかかわらず駆動時間の記憶を保持するステップと、主電源が投入された場合に、記憶された駆動時間を読み出し、駆動時間に基づいて内部の冷却の要否を判断し、内部の冷却が必要であると判断した場合に、内部の冷却の要否を判断するステップとを備える。
【００１３】
上記溶接用電源装置の制御方法においては、ファンの駆動時間が記憶され、主電源が投入状態であるか切断状態であるかにかかわらず駆動時間の記憶が保持される。そして主電源が切断され、その後主電源が投入されると、記憶された切断前のファン駆動時間が記憶部から読み出され、必要に応じて更なるファンの駆動が実施される。そして、十分な冷却が達成された後、溶接の開始が可能となる。これにより、十分に冷却されたことが確認されて、溶接が再開される。その結果、溶接用電源装置の内部の温度が高い状態が続くことを回避して、溶接用電源装置の故障を抑制することができる。
【００１４】
上記溶接用電源装置の制御方法は、主電源が切断された場合に切断時間を測定するステップをさらに備え、内部の冷却の要否を判断するステップでは、駆動時間および切断時間に基づいて内部の冷却の要否を判断してもよい。
【発明の効果】
【００１５】
本発明に従った溶接装置、溶接用電源装置、および溶接用電源装置の制御方法によれば、内部の温度が高い状態が続くことを回避して、故障を抑制することができる。
【図面の簡単な説明】
【００１６】
【図１】溶接装置の概略的な電気的構成を示すブロック図である。
【図２】溶接用電源装置の制御方法の一例を示すフローチャートである。
【図３】実施の形態２の溶接装置の概略的な電気的構成を示すブロック図である。
【図４】実施の形態２の溶接用電源装置の制御方法の一例を示すフローチャートである。
【図５】実施の形態２の溶接用電源装置の制御方法の一例を示すフローチャートである。
【発明を実施するための形態】
【００１７】
以下、図面に基づいて本発明の実施の形態を説明する。なお、以下の図面において同一または相当する部分には同一の参照番号を付し、その説明は繰り返さない。
【００１８】
＜実施の形態１＞
１．実施の形態１の溶接装置および溶接用電源装置の構成
図１は、実施の形態１の溶接装置３００の概略的な電気的構成を示すブロック図である。本実施の形態においては、溶接装置の一例としてアーク溶接装置について説明する。図１を参照して、溶接装置３００は、金属からなる母材６７の一部をアークの熱によって溶融させて、母材６７を溶接するための溶接装置である。溶接装置３００は、溶接用電源装置１００と、溶接制御装置６０と、溶接トーチ６５と、消耗電極６６と、電源スイッチ（ＰＳ）２９とを備える。溶接用電源装置１００は、消耗電極６６と母材６７との間に、溶接電流を流すための装置である。溶接制御装置６０は、必須の構成ではないが、消耗電極６６の送給速度の制御や溶接トーチ６５の位置決めの制御等、溶接装置３００全体の動作を制御する装置である。
【００１９】
消耗電極６６は、母材６７との間にアークを形成するための電極である。消耗電極６６は、図示しないワイヤ送給装置により、溶接トーチ６５内を通って先端部が母材６７に隣接する位置まで送給される。
【００２０】
電源スイッチ（ＰＳ）２９は、主電源である商用電源１から溶接用電源装置１００に供給される電力の投入および切断を行う。
【００２１】
次に、溶接用電源装置１００について詳細に説明する。溶接用電源装置１００は、温度測定部（ＴＭ）２２と、異常温度検出部（ＡＴ）２１と、出力制御を行う出力制御回路１０と、ファン駆動部（ＦＤ）２４と、ファン（ＦＡＮ）２５と、ファン駆動時間計測部（ＦＤＴ）２６と、記憶部として機能する不揮発性メモリ（ＮＭ）２７と、冷却確認部（ＣＣ）２３とを備える。
【００２２】
温度測定部（ＴＭ）２２は、溶接用電源装置１００の内部の温度を測定して、温度の情報を含む温度情報信号３１を出力する。温度測定部（ＴＭ）２２は、特に限定されず、例えばサーミスタ、温度検出ＩＣ等を温度測定部（ＴＭ）２２として用いることができる。また、本実施の形態においては、温度測定部（ＴＭ）２２が、熱に弱いインバータ回路（ＩＮＶ）１３、２次側整流回路（ＤＲ２）１５等の周辺の温度を測定可能な位置に搭載されている。
【００２３】
異常温度検出部（ＡＴ）２１は温度測定部（ＴＭ）２２に接続され、温度情報信号３１に基づいて把握される温度が予め設定された閾値よりも高い場合に、異常温度信号３５を出力する。
【００２４】
出力制御回路１０は、商用電源１を主電源として溶接電流の制御を行う。商用電源１としては、例えば、交流３相２００［Ｖ］の電源が使用される。本実施の形態においては、出力制御回路１０は、１次側整流回路（ＤＲ１）１１と、平滑回路（ＣＤ）１２と、インバータ回路（ＩＮＶ）１３と、変圧器（ＴＲ）１４と、２次側整流回路（ＤＲ２）１５と、電流制御部（ＣＮ）１６とを含む。
【００２５】
１次側整流回路１１は、商用電源１から出力される交流電流を直流電流に変換する。平滑回路１２は、１次側整流回路１１により直流に変換された電流を平滑化する。インバータ回路（ＩＮＶ）１３は、複数のパワートランジスタを備え、平滑回路１２により平滑化された直流電流を交流電流に変換する。変圧器１４は、交流電圧を溶接に適した電圧に降圧する。２次側整流回路１５は、交流電流を直流電流に変換する。
【００２６】
電流制御部（ＣＮ）１６は、消耗電極６６と母材６７との間に流れる溶接電流を制御する。電流制御部（ＣＮ）１６は、インバータ回路（ＩＮＶ）１３に接続され、インバータ駆動信号４３を出力して溶接電流を制御する。また、電流制御部（ＣＮ）１６は、異常温度検出部（ＡＴ）２１に接続され、異常温度信号３５に基づいてインバータ駆動信号４３を停止することにより溶接電流を停止する。
【００２７】
ファン駆動部（ＦＤ）２４は、ファン（ＦＡＮ）２５および異常温度検出部（ＡＴ）２１に接続され、異常温度信号３５に基づいてファン駆動信号３７をファン（ＦＡＮ）２５に出力する。ファン（ＦＡＮ）２５は、ファン駆動信号３７に基づいて作動し、溶接用電源装置１００の内部を冷却する。
【００２８】
ファン駆動時間計測部（ＦＤＴ）２６は、ファン駆動部（ＦＤ）２４に接続され、ファン駆動部（ＦＤ）２４から出力されるファン駆動信号３７に基づいてファン（ＦＡＮ）２５の駆動時間（以下、ファン駆動時間とも記載する。）を計測して、ファン駆動時間信号３４を出力する。
【００２９】
不揮発性メモリ（ＮＭ）２７は、ファン駆動時間計測部（ＦＤＴ）２６に接続され、ファン駆動時間計測部（ＦＤＴ）２６から出力されるファン駆動時間信号３４に基づいてファン駆動時間を記憶する。記憶部として不揮発性メモリ（ＮＭ）２７を用いることにより、主電源である商用電源１が投入状態であるか切断状態であるかにかかわらず駆動時間の記憶を保持することができる。不揮発性メモリ（ＮＭ）２７は特に限定されず、例えばＥＥＰＲＯＭ（Electrically  Erasable  Programmable  Read  Only  Memory）、フラッシュメモリ、ＦｅＲＡＭ（Ferroelectric  Random  Access  Memory）を不揮発性メモリ（ＮＭ）２７として用いることができる。
【００３０】
冷却確認部（ＣＣ）２３は、不揮発性メモリ（ＮＭ）２７に接続され、商用電源１が投入された場合に不揮発性メモリ（ＮＭ）２７に記憶されたファン駆動時間の情報を含むファン駆動時間データ信号３９を読み出す。また、冷却確認部（ＣＣ）２３は、電流制御部１６およびファン駆動部（ＦＤ）２４に接続される。そして、冷却確認部（ＣＣ）２３は、読み出した駆動時間に基づいて溶接用電源装置１００の内部の冷却の要否を判断し、溶接用電源装置１００の内部の冷却が必要であると判断した場合に、異常温度信号３５を電流制御部（ＣＮ）１６およびファン駆動部（ＦＤ）２４に出力する。具体的には、冷却確認部（ＣＣ）２３は、ファン駆動時間と予め定められた規定時間と比較して、ファン駆動時間が規定時間未満であるときに異常温度信号３５を出力する。
【００３１】
２．実施の形態１の溶接装置および溶接用電源装置の制御方法
次に、図１および図２を参照して、本発明の実施の形態１における溶接装置３００および溶接用電源装置１００の制御方法について説明する。
【００３２】
初めに、作業者により電源スイッチ（ＰＳ）２９の操作が行われて、溶接用電源装置１００に商用電源１が投入される（図２において、ステップＳ１０、以下、「ステップ」を省略する）。
【００３３】
次に、冷却確認部（ＣＣ）２３が不揮発性メモリ（ＮＭ）２７の内容を確認して（Ｓ２０）、不揮発性メモリ（ＮＭ）２７に０以外のファン駆動時間が記憶されているか否かを判断する（Ｓ３０）。ここで後述するように、不揮発性メモリ（ＮＭ）２７には規定時間（例えば１０分）のファンの運転が行われることなく商用電源１が切断された場合に、０以外のファン駆動時間が記憶されている。記憶されている駆動時間は、規定時間（例えば１０分）未満である。不揮発性メモリ（ＮＭ）２７に０以外のファン駆動時間が記憶されている場合は（Ｓ３０でＹＥＳ）、冷却確認部（ＣＣ）２３が異常温度信号３５を電流制御部１６およびファン駆動部（ＦＤ）２４に出力する（Ｓ４０）。
【００３４】
異常温度信号３５が電流制御部（ＣＮ）１６に出力されると、電流制御部（ＣＮ）１６は、インバータ回路（ＩＮＶ）１３にインバータ駆動信号４３を出力しない。このため、溶接電流が停止された状態となる。また、異常温度信号３５がファン駆動部（ＦＤ）２４に出力されると、ファン駆動部（ＦＤ）２４は、ファン駆動信号３７をファン（ＦＡＮ）２５に出力する。ファン（ＦＡＮ）２５は、ファン駆動信号３７に基づいて作動し、溶接用電源装置１００の内部を冷却する。これにより溶接が開始されることなく、ファンが作動する。
【００３５】
次に、ファン駆動時間計測部（ＦＤＴ）２６は、ファン駆動部（ＦＤ）２４から出力されるファン駆動信号３７に基づいてファン（ＦＡＮ）２５の駆動時間を計測する。そして、不揮発性メモリ（ＮＭ）２７が、ファン駆動時間計測部（ＦＤＴ）２６から出力されるファン駆動時間信号３４に基づいてファン駆動時間を記憶する（Ｓ５０）。不揮発性メモリ（ＮＭ）２７には、ファン駆動時間が、経時的に更新されながら記憶される。つまり、不揮発性メモリ（ＮＭ）２７には、記憶された駆動時間に新たな駆動時間が加算されつつ記憶される。
【００３６】
次に、冷却確認部（ＣＣ）２３が、不揮発性メモリ（ＮＭ）２７から入力されたファン駆動時間データ信号３９に基づいて溶接用電源装置１００の内部の冷却が十分か否かを判断する（Ｓ６０）。具体的には、本実施の形態においては、ファン駆動時間が予め定めた時間に到達したか否かが判断される。予め定めた時間は、冷却確認部（ＣＣ）２３に予め入力されており、例えば１０分である。そして、ファン駆動時間が予め定めた時間（規定時間）に到達した場合に（Ｓ６０でＹＥＳ）、不揮発性メモリ（ＮＭ）２７に記憶されたファン駆動時間をリセットして０とする（Ｓ７０）。
【００３７】
一方、ファン駆動時間が予め定めた時間より短い場合は（Ｓ６０でＮＯ）、再びＳ４０の制御が行われ、溶接電流が停止された状態で、ファン駆動部（ＦＤ）２４がファン駆動信号３７をファン（ＦＡＮ）２５に出力する。ファン（ＦＡＮ）２５は、予め定めた時間に達するまで、ファン駆動信号３７に基づいて作動する。
【００３８】
ファン（ＦＡＮ）２５が予め定めた時間に達するまで作動し、溶接用電源装置１００の内部の冷却が十分な状態である場合は、上述のように不揮発性メモリ（ＮＭ）２７に記憶されたファン駆動時間がリセットされたうえで（Ｓ７０），電流制御部（ＣＮ）１６からインバータ回路（ＩＮＶ）１３にインバータ駆動信号４３が出力される。そして、溶接電流が流れて溶接が開始される（Ｓ８０）。
【００３９】
次に、温度測定部（ＴＭ）２２により、溶接用電源装置１００の内部の温度が測定される（Ｓ９０）。そして、溶接用電源装置１００の内部の温度が予め設定された閾値よりも高いか否かが判断される（Ｓ１００）。そして、溶接用電源装置１００の内部の温度が予め設定された閾値よりも高い場合は（Ｓ１００でＹＥＳ）、上記Ｓ４０の制御が行われる。これにより、溶接電流が停止された状態で、ファン駆動部（ＦＤ）２４がファン駆動信号３７をファン（ＦＡＮ）２５に出力する。ファン（ＦＡＮ）２５は、予め定めた時間に達するまで、ファン駆動信号３７に基づいて作動する。
【００４０】
一方、溶接用電源装置１００の内部の温度が予め設定された閾値よりも低い状態、すなわち溶接用電源装置１００の内部の温度が正常な状態で溶接が終了した場合（Ｓ１００でＮＯかつＳ１１０でＹＥＳ）、本処理を終了する。溶接が継続されている場合は（Ｓ１１０でＮＯ）、引き続き温度測定部（ＴＭ）２２により、溶接用電源装置１００の内部の温度が測定される（Ｓ９０）。
【００４１】
次に、溶接用電源装置１００の内部が異常温度以上に上昇した後、ファン駆動時間が予め定めた時間（規定時間）に到達する前に、作業者の電源スイッチ（ＰＳ）２９の操作により商用電源１が切断された場合（Ｓ６０においてＮＯとなり、Ｓ４０〜Ｓ６０がくり返されている状態で商用電源１が切断された場合）について図２を参照して説明する。
【００４２】
ファン駆動時間が予め定めた時間（規定時間）に到達する前に作業者により商用電源１が切断されると、ファン（ＦＡＮ）２５の駆動も停止されて、停止直前に記憶されたファン駆動時間が不揮発性メモリ（ＮＭ）２７に残る。
【００４３】
その後、作業者により商用電源１が再び投入されると（Ｓ１０）、冷却確認部（ＣＣ）２３が、不揮発性メモリ（ＮＭ）２７に０以外のファン駆動時間が記憶されているか否かを判断する（Ｓ２０、Ｓ３０）。商用電源１が切断される際にファン駆動時間が規定時間より短かかった場合は、不揮発性メモリ（ＮＭ）２７内のファン駆動時間の記憶がリセットされないことから（Ｓ６０でＮＯ）、不揮発性メモリ（ＮＭ）２７内に０以外のファン駆動時間の記憶が残っており（Ｓ３０でＹＥＳ）、Ｓ４０の制御が実施される。そして、溶接電流が停止された状態で、ファン駆動部（ＦＤ）２４がファン駆動信号３７をファン（ＦＡＮ）２５に出力し、規定時間に達するまでファン（ＦＡＮ）２５が作動する。これにより、異常温度に近い状態で溶接が再開されることが回避される。
【００４４】
一方、商用電源１の切断前のファン駆動時間が予め定めた時間（規定時間）に到達してから商用電源１が切断された場合は（Ｓ６０でＹＥＳ）、不揮発性メモリ（ＮＭ）２７内のファン駆動時間がリセットされているので（Ｓ７０）、不揮発性メモリ（ＮＭ）２７に記憶されたファン駆動時間は０となっている（Ｓ３０でＮＯ）。従って、この場合は、電流制御部（ＣＮ）１６からインバータ回路（ＩＮＶ）１３にインバータ駆動信号４３が出力される。そして、溶接電流が流れて溶接が開始されることになる（Ｓ８０）。
【００４５】
このように、本実施の形態の溶接用電源装置１００および溶接用電源装置の制御方法によれば、ファンの駆動時間が不揮発性メモリに記憶される。そして商用電源１が切断され、その後商用電源１が投入されると、記憶された切断前のファン駆動時間が不揮発性メモリから読み出され、必要に応じて更なるファン２５の駆動が実施される。そして、十分な冷却が達成された後、溶接の開始が可能となる。これにより、十分に冷却されたことが確認されて、溶接が再開される。その結果、溶接用電源装置１００の内部の温度が高い状態が続くことを回避して、溶接用電源装置１００の故障を抑制することができる。
【００４６】
＜実施の形態２＞
１．実施の形態２の溶接装置および溶接用電源装置の構成
次に、本発明の他の実施の形態である実施の形態２について説明する。図３は、実施の形態２の溶接装置４００の概略的な電気的構成を示すブロック図である。実施の形態２の溶接装置４００および溶接用電源装置２００は、基本的には実施の形態１の場合と同様の構成を有し、同様に制御される。しかし、溶接用電源装置２００は切断時間計測部（ＰＤＴ）２８を備え、冷却確認部（ＣＣ）５１がファン駆動時間および切断時間に基づいて溶接用電源装置２００の内部の冷却の要否を判断する点において、実施の形態１と異なっている。
【００４７】
図３を参照して、切断時間計測部（ＰＤＴ）２８は電源スイッチ２９に接続される。そして、電源スイッチ２９によって主電源である商用電源１が切断された場合、電源スイッチ２９から出力される電源投入／切断信号４１に基づいて、切断時間計測部（ＰＤＴ）２８は切断時間を測定する。切断時間計測部（ＰＤＴ）２８には、切断時間が、経時的に更新されながら記憶される。また、切断時間計測部（ＰＤＴ）２８は、副電源であるバッテリー（ＢＴ）５２に接続されており、バッテリー（ＢＴ）５２から供給された電力によって、商用電源１の切断時においても時間の計測が可能である。また、切断時間計測部（ＰＤＴ）２８は、冷却確認部（ＣＣ）５１に接続され、冷却確認部（ＣＣ）５１に切断時間計測信号４０を出力する。
【００４８】
また、冷却確認部（ＣＣ）５１は、ファンの駆動時間だけでなく切断時間に基づいて溶接用電源装置２００の内部の冷却の要否を判断する。そして、冷却確認部（ＣＣ）５１は、溶接用電源装置２００の内部の冷却が必要であると判断した場合に、異常温度信号３５を電流制御部（ＣＮ）１６およびファン駆動部（ＦＤ）２４に出力する。具体的には、冷却確認部（ＣＣ）５１は、ファン駆動時間データ信号３９および切断時間計測信号４０に基づいて溶接用電源装置２００の内部の冷却の要否を判断する。冷却確認部（ＣＣ）５１では、切断時間がファン駆動時間に比べて影響が小さくなるように重みづけされたうえで、重みづけされた切断時間とファン駆動時間との合計時間が規定時間と比較される。そして、当該合計時間が規定時間に到達していない場合に、冷却確認部（ＣＣ）５１から異常温度信号３５が出力される。
【００４９】
２．実施の形態２の溶接装置および溶接用電源装置の制御方法
次に、図４および図５を参照して、実施の形態２における溶接装置４００および溶接用電源装置２００の制御方法について説明する。本発明の実施の形態２においては、図４の制御が行われつつ、図５の制御が行われる。
【００５０】
図５の制御については、基本的には実施の形態１の場合と同様の制御が行われる。したがって、実施の形態１と異なる処理について説明する。本実施の形態においては、図５を参照して、Ｔ５０およびＴ８０において、ファン駆動時間および切断時間に基づいて溶接用電源装置１００の内部の冷却が十分であるか否かが判断される。具体的には、ファンの駆動による冷却効率と商用電源１の切断による冷却効率との比較の観点から、例えば、切断時間に０．１を乗じた時間とファン駆動時間との合計時間（以下、実質冷却時間と記載する。）が予め定めた規定時間に到達しているか否かが判断される。規定時間は、例えば１０分である。
【００５１】
次に、実施の形態２において、溶接用電源装置２００の内部の温度が異常温度以上に上昇した後、実質冷却時間が予め定めた時間（規定時間）に到達する前に、作業者の電源スイッチ（ＰＳ）２９の操作により商用電源１が切断された場合（Ｔ８０においてＮＯとなりＴ６０〜Ｔ８０がくり返されている状態で商用電源１が切断された場合）について図４および図５を参照して説明する。
【００５２】
実質冷却時間が予め定めた時間（規定時間）に到達する前に作業者により商用電源１が切断されると、実施の形態１と同様にファン（ＦＡＮ）２５の駆動が停止されて、停止直前に記憶されたファン駆動時間が不揮発性メモリ（ＮＭ）２７内に残る。
【００５３】
また、図４を参照して商用電源１が電源スイッチ２９により切断されると（Ｕ１０）
切断時間計測部（ＰＤＴ）２８が切断時間を計測する（Ｕ２０）。その後、作業者により商用電源１が再び投入されるまでの間（Ｕ３０でＮＯ）切断時間が積算される。作業者により商用電源１が再び投入されると（Ｕ３０でＹＥＳ）、切断時間の積算が止まり、投入直前までの時間が切断時間計測部（ＰＤＴ）２８に記憶された状態で、図４の処理が終了する。一方、図５を参照して作業者により商用電源１が投入されると（Ｔ１０）、冷却確認部（ＣＣ）５１が、不揮発性メモリ（ＮＭ）２７に０以外のファン駆動時間が記憶されているか否かを判断する（Ｔ２０、Ｔ３０）。不揮発性メモリ（ＮＭ）２７に０以外のファン駆動時間が記憶されている場合は（Ｔ３０でＹＥＳ）、冷却確認部（ＣＣ）５１に切断時間計測信号４０が入力されて、図４の処理により記憶された切断時間が読み出される（Ｔ４０）。そして、ファン駆動時間および切断時間に基づいて溶接用電源装置１００の内部の冷却が十分であるか否かが判断される（Ｔ５０）。
【００５４】
商用電源１が切断される際に電源切断前の実質冷却時間が予め定めた時間（規定時間）より短かかった場合、不揮発性メモリ（ＮＭ）２７内には、０以外のファン駆動時間が記憶されている（Ｔ３０でＹＥＳ）。このとき、切断時間が十分であれば、実質冷却時間が規定時間に到達し、内部の冷却が十分であるとされる判断される（Ｔ５０でＹＥＳ）。そうすると、切断時間計測部（ＰＤＴ）２８により計測された切断時間がリセットされるとともに、不揮発性メモリ（ＮＭ）２７に記憶されたファン駆動時間がリセットされる（Ｔ９０）。そのため、不揮発性メモリ（ＮＭ）２７に記憶されるファン駆動時間は０となる。そして、電流制御部（ＣＮ）１６からインバータ回路（ＩＮＶ）１３にインバータ駆動信号４３が出力される。これにより、溶接電流が流れて溶接が開始されることになる（Ｔ１００）。
【００５５】
一方、実質冷却時間が規定時間より短かい場合、内部の冷却が十分でないと判断される（Ｔ５０でＮＯ）。そうすると、Ｔ６０の制御が実施される。つまり、溶接電流が停止された状態で、ファン駆動部（ＦＤ）２４がファン駆動信号３７をファン（ＦＡＮ）２５に出力し、ファン（ＦＡＮ）２５が作動する。次に、実質冷却時間が規定時間に達するまで（Ｔ８０でＹＥＳ）、ファン（ＦＡＮ）２５がファン駆動信号３７に基づいて作動する。これにより、異常温度に近い状態で溶接が再開されることが回避される。
【００５６】
なお、上記実施の形態２においては、溶接用電源装置２００がファン駆動時間計測部（ＦＤＴ）２６および切断時間計測部（ＰＤＴ）２８を備えることによって、ファン駆動時間および切断時間の計測を別々に実施していたが、単一の時間計測部がファン駆動時間および切断時間の計測を行ってもよい。この場合は、例えば、商用電源１の切断時における切断時間の計測と、商用電源１の投入時のファン駆動時間の計測とをスイッチにより切り替えることによって計測することができる。
【００５７】
実施の形態２においては、上記実施の形態１の効果に加えて、ファンの駆動時間および商用電源１の切断時間に基づいて溶接用電源装置２００の内部の冷却の要否が判断される。そのため、溶接の開始（再開）可能な冷却状態にあるか否かを精度よく把握して溶接用電源装置２００の内部を冷却することができる。具体的には、ファン駆動時間が規定時間未満である場合でも、切断時間が長く実質的な冷却が十分である場合には、溶接開始が可能な状態とすることができる。
【００５８】
＜変形例＞
上記実施の形態においては、記憶部として不揮発性メモリを例示したが、これに代えてバッテリーなどの副電源によりバックアップした揮発性メモリを用いてもよい。
【００５９】
また、上記実施の形態においては、ファン駆動時間および切断時間はタイマーを用いて計測していたが、ＣＰＵ（Central Processing Unit）により計測してもよい。この場合、ＣＰＵは、溶接制御装置に備えられたＣＰＵを用いてもよいし、溶接用電源装置にＣＰＵを備えるようにしてもよい。また、商用電源の切断時にＣＰＵを用いて切断時間を計測する場合は、ＣＰＵにバッテリーを接続してバッテリーから供給された電力によって計測してもよい。さらに、上述したように、記憶部としてバッテリーによりバックアップした揮発性メモリを用いる場合は、切断時間計測部とバッテリーを共有するようにしてもよい。
【００６０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【符号の説明】
【００６１】
１  商用電源、１０  出力制御回路、１１  １次側整流回路、１２  平滑回路、１３  インバータ回路、１４  変圧器、１５  ２次側整流回路、１６  電流制御部、２１  異常温度検出部、２２  温度測定部、２３，５１  冷却確認部、２４  ファン駆動部、２５  ファン、２６  ファン駆動時間計測部、２７  不揮発性メモリ、２８  切断時間計測部、２９  電源スイッチ、３１  温度情報信号、３４  ファン駆動時間信号、３５  異常温度信号、３７  ファン駆動信号、３９  ファン駆動時間データ信号、４０  切断時間計測信号、４１  電源投入／切断信号、４３  インバータ駆動信号、５２  バッテリー、６０  溶接制御装置、６５  溶接トーチ、６６  消耗電極、６７  母材、１００，２００  電源装置、３００，４００  溶接装置。
【図１】
2016093817.tif 000003
【図２】
2016093817.tif 000004
【図３】
2016093817.tif 000005
【図４】
2016093817.tif 000006
【図５】
2016093817.tif 000007